Podtech/llm-jp-corpus-v4-ja_patent huggingface dataset:
(57)【要約】      （修正有）【課題】スピニングリールのつり糸よじれ現象を解決する事。【解決手段】回転の逆のスピニングリールを作れば、つり糸のよじれは逆方向になります。まずスピニングリールに逆回転の機能が内蔵された事を前庭とします。（これについては、専門家ならいろいろな形で可能だと思います。）リールの糸まき部分を、スカート部（１）と糸まき部（２）に分割する事により、糸まき部を裏返しにする事が可能です。スプール、ガイド、ドラグなども、逆回転にも対応するように付け加えます。ようするに正負の回転のスピニングリールを、１つにまとめた形です。【選択図】図１
2005328829.tif 000002
【特許請求の範囲】
【請求項１】
つり糸よじれ補正のため、スピニングリールを逆回転させて使用できるように、糸まき部分を、スカート部と糸まき部に分割して、糸まき部を裏返しできるようにする。又ガイド、ドラグなども逆回転用に、反対側にもつけます。
【発明の詳細な説明】
【発明の詳細な説明】
【０００１】〔発明の属する技術分野〕  つり具のスピニングリールの、つり糸よじれ現象の補正のためのもの。
【０００２】〔従来の技術〕  従来のスピニングリールは、つり糸のよじれは当り前という事で、つり糸の素材の改良などでよじれをカバーする方向にありました。
【０００３】〔発明が解決しようとする課題〕  スピニングリールは、１０メートル糸をくり出すと、１００回前後のよじれが生じます。この状態を補正するための機能を持たせる事です。
【０００４】〔課題を解決するための手段〕  回転の逆のスピニングリールを作れば、つり糸のよじれは逆方向になります。まずスピニングリールに、逆回転の機能が内蔵された事を前庭とします。（これについては、専門家ならいろいろな形で可能だと思います。）リールの糸まき部分を、スカート部（１）と糸まき部（２）に分割する事により、糸まき部を裏返しにする事が可能です。スプール、ガイド、ドラグなども、逆回転にも対応するように付け加えます。ようするに正負の回転のスピニングリールを、１つにまとめた形です。スカート部と糸まき部の連結に凹凸の形態をつけ、スカート部と糸まき部の間につり糸が入り込まないように、スカート部の上縁を糸まき部の端がかくれる位まで伸ばします。これにより１つのリールで正負両方の回転で使用てきるようになります。
【０００５】〔発明の実施の形態〕  今までのリールと比較して、使用感は変わりません。釣行３回毎位に、回転を変えると、いつも良いつり糸の状態で保てます。
【０００６】〔発明の効果〕  スピニングリールの最大の決点は、解決されました。
【図面の簡単な説明】
【図１】本発明の分解斜視図である。
【図２】本発明の糸まき部分斜視図である。
【符号の説明】
１  スカート部    ２  糸まき部    ３  連結用凸型    ４  連結用凹部    ５  ドラグ    ６  ドラグしめねじ    ７  スプール    ８  スカート部上縁    ９  ガイド
【図１】
2005328829.tif 000003
【図２】
2005328829.tif 000004
(57)【要約】【課題】  通常犬小屋は、開口部出入口が犬小屋内部に直結している為、風雨雪時に内部まで侵入し、結果的に犬を害する構造になっている。よって、犬小屋開口部から屋内への突然の風雨雪の侵入を防ぎ、その為に犬小屋が必要以上に大きくならないような移動式屋根覆いを取り付けた犬小屋を提供する事を目的とする。【解決手段】  犬小屋本体の前面開口部、本体側壁、本体屋根をそのまま覆い、犬小屋本体から開口部出入口前方方向へ移動可能な屋根覆いを作成し、風雨雪の進入を防ぐ為に屋根覆いを本体前方方向に移動させる事により、犬小屋本体開口部と屋根覆い開口部相互間の位置を離すことによって、風雨雪の犬小屋本体開口部への進入を防ぐ。又必要な時だけ移動可能な屋根覆いのため、屋根覆いを犬小屋本体に押し込んだ状態で使用すれば、犬小屋の規模は最小限ですむ。【選択図】図２
2005328823.tif 000002
【特許請求の範囲】
【請求項１】
犬小屋本体開口部出入口への風雨雪の進入を防ぐ為に、犬小屋本体の前面、屋根、両側面を覆い、それらが一体化された犬小屋本体覆いで、その前面には犬小屋本体入口への開口部を設け、さらに犬小屋本体から前方へ移動可能な屋根覆い。
【発明の詳細な説明】
【技術分野】
【０００１】  本考案は犬小屋に移動式屋根を設置する事に関するものである。
【背景技術】
【０００２】  従来の犬小屋は一般に床と三方に設けた側壁と前面に設けられた出入口と屋根からなっており、日照対策や風雨雪対策をほどこした物はほとんどなく、特に予防的に日照りや風雨雪に対して対処できる物はなかった。このため飼い主が突然の自然現象に対応できる状況なら良いが、特に飼い主が就寝中の夜間に起きる風雨雪に対しては、なりゆきに任せるのみで対処できなかった。
【発明の開示】
【発明が解決しようとする課題】
【０００３】  犬小屋への突然の風雨雪の侵入を防ぎ、また日照りでの日陰を作り、なおその為に犬小屋が必要以上に大きくならないような、犬小屋の出入口を保護する移動式屋根を提供する事を目的とする。
【課題を解決するための手段】
【０００４】  本発明は移動可能な屋根覆いを設ける事で、日照りや風雨雪の時に犬小屋本体より入口前方方向に移動式屋根を引き出し、よって出入口に日光や風雨雪の入ることを防ぎ、また夜間に移動式屋根を引き出しておくことにより、突然の風雨雪が直接本体入口にかかることを防止する。
【発明の効果】
【０００５】  移動式屋根覆いを出入口方向に引き出すことにより、予防的に日照りや風雨雪の出入口に対する進入を防ぐことが出来るようになり、飼い主の管理できない時間帯の天候への心配を軽減できる。また天候上必要としない時は移動式屋根覆いを押し込めておけばよく、犬小屋に大きな面積をとられないですむ。
【発明を実施するための最良の形態】
【０００６】  以下、本発明の実施形態を図面参照しながら説明する。
図１は犬小屋本体１に移動式屋根覆い２を押し込んだ状態である。
図２は移動式屋根覆い２を犬小屋本体出入口側に引き出した状態である。
犬小屋の出入口としての開口部に風雨雪が直接の侵入を防ぐ為に、本体開口部、屋根、両側面を覆う壁を設けて一体化し、本体開口部面に面する壁に出入口開口部を設ける。通常は覆いを犬小屋本体側に密着させておくが、日照りや風雨雪の状態時または予防的に本体前面に引き出し利用する。
【産業上の利用可能性】
【０００７】  この発明は、犬小屋に住む犬にとっての快適性を求めるものであり、従来の犬小屋では出来なかった開口部からの風雨雪の進入を防ぐ事が可能になり、なお犬の犬小屋からの出入りを確保することにより、犬にストレスを与えない事を実現しようとするものである。また、飼い主にとっては予防的に移動式屋根覆いを引き出し使用する事により、犬が風雨雪にあたる被害を未然に防ぐ事ができる。
【図面の簡単な説明】
【０００８】
【図１】平常時使用状態図。犬小屋本体１に移動式屋根覆い２を押し込んだ状態図。
【図２】移動式屋根覆い２を犬小屋本体開口部４側から引き出した状態図。
【図３】移動式屋根覆い２と犬小屋本体１を分離した状態図。
【図４】図１の断面図。
【符号の説明】
【０００９】  １・・・犬小屋本体
２・・・移動式屋根覆い
３・・・犬小屋本体覆い開口部
４・・・犬小屋本体開口部
５・・・本体前面壁
６・・・本体屋根
７・・・本体側壁
８・・・移動式屋根覆い前面壁
【図１】
2005328823.tif 000003
【図２】
2005328823.tif 000004
【図３】
2005328823.tif 000005
【図４】
2005328823.tif 000006
(57)【要約】【課題】  従来品より、着水時の衝撃で排出されるこませの量を減らし、できるだけ多くのこませを保有したまま、狙いの深さまで沈ませる。【解決手段】  餌付針収納かごと、こませかごを別々にする。餌付針収納かごにはオモリを付ける（６）。こませかごは、外筒（４）と内筒（５）にわけて、それぞれにこませ排出用の穴を開け、外筒（４）に内筒（５）をはめ込んで使う。餌付針収納オモリ付かご（６）と外筒（４）の先端は、それぞれ円錐形にする。以上により、課題を解決できるものと思われる。【選択図】  図１
2005328820.tif 000002
【特許請求の範囲】
【請求項１】
ステンレスばね天秤（２）の先端に、オモリ（７）が固定されていること。
【請求項２】
餌付針収納かごに、オモリを付け一体化させること。
【請求項３】
餌付針収納オモリ付かご（６）、及びこませかごは、どちらもスライド式とすること。
【請求項４】
餌付針収納オモリ付かご（６）のオモリと、固定のオモリ（７）と、オモリを２つ使うこと。
【発明の詳細な説明】
【技術分野】
【０００１】  本発明は、オモリ（７）をつけたステンレスばね天秤（２）に、こませ排出口（９）と排水穴（８）を開けたこませかご外筒（４）及び内筒（５）、オモリ（７）より重いオモリを付けた餌付針収納かご（６）を、貫通させたスライド式一体化形状の釣具である。
【背景技術】
【０００２】  従来品は、餌付針とこませを、ひとつのかごに収納する。全体に涙型をしている。
【発明の開示】
【発明が解決しようとする課題】
【０００３】  従来品より、着水時の衝撃で排出されるこませの量を減らし、できるだけ多くのこませを保有したまま、狙いの深さまで沈ませる。
【課題を解決するための手段】
【０００４】  餌付針とこませのかごを別々にする。餌付針収納かごは（７）より重いオモリを付ける（６）。こませかご外筒（４）と内筒（５）には、それぞれこませ排出用の穴を開け（９）、外筒（４）に内筒（５）をはめ込んで使う。外筒（４）と、餌付針収納オモリ付かご（６）の先端は、円錐形にする。
【発明の効果】
【０００５】  円錐形の形状は、着水時の衝撃や、沈むときの水の抵抗を軽減できる。餌付針とこませのかごを分けることで、着水時の衝撃で排出されるこませの量を減らし、なるべく多くのこませを保有した状態で沈められる。また針に付けた餌がつぶれにくく、釣りの準備動作をスムーズに行うことができる。餌付針収納かごにオモリを付けることで、かご全体を安定させる。
【発明を実施するための最良の形態】
【０００６】  長さ５００ｍｍのステンレスばね天秤（２）の先にオモリ（７）を固定する。餌付針収納かごには、オモリ（７）より重いオモリを固定し、ハリス通し切込み口を開ける（１１）。こませかご（全長９０ｍｍ）は、外筒（４）、内筒（５）に分けてはめ込みで使う。外筒（４）、内筒（５）のそれぞれの側面には、こませ排出のための穴を開け（９）、その合わせ方でこませの排出量を調節できるようにする。【０００７】  こませかご外筒（４）、内筒（５）、餌付針収納オモリ付かご（６）、及びハードのシモリ（３）を、ステンレスばね天秤（２）に通し、スライドできる一体化形状にする。ハードのシモリ（３）は、かごの両端の衝撃を和らげ、破損を防ぐ。道糸（１）、ハリス（１３）はそれぞれ、サルカン（１２）でステンレスばね天秤（２）につける。
【実施例】
【０００８】  図１、図２、図３、図４、図５
【産業上の利用可能性】
【０００９】  魚釣りに於いて、遠投用餌付針収納かごと、こませかご付釣具。陸釣り、船釣りに兼用できる。
【図面の簡単な説明】
【００１０】
【図１】  餌付針収納オモリ付かごと、こませかご付遠投用釣具の実施例の正面図
【図２】  こませかごと、餌付針収納オモリ付かごの平面図
【図３】  餌付針収納オモリ付かごと、こませかご付遠投用釣具の平面図（主要部）
【図４】  餌付針収納オモリ付かごと、こませかご付遠投用釣具のたて断面図
【図５】  餌付針収納オモリ付かごと、こませかご付遠投用釣具の斜視図
【符号の説明】
【００１１】（１）道糸                          （８）排水穴
（２）ステンレスばね天秤            （９）こませ排出口
（３）ハードのシモリ                （１０）こませ挿入口
（４）こませかご外筒                （１１）ハリス通し切込み口
（５）こませかご内筒                （１２）サルカン
（６）餌付針収納オモリ付かご        （１３）ハリス
（７）オモリ
【図１】
2005328820.tif 000003
【図２】
2005328820.tif 000004
【図３】
2005328820.tif 000005
【図４】
2005328820.tif 000006
【図５】
2005328820.tif 000007
(57)【要約】【課題】  従来、従来、競走馬は牧場、厩舎で通常の水を飲用水として使用して放牧、調教を行って育成されているが、競走馬はレースに勝つことが最も重要であり調教師の調教以外にも走力を高める方法、及びレース中、調教中の事故による競走馬の怪我の予防が必要とされている。【解決手段】本発明は、重水素減少水（ＤＤＷＡＴＥＲ（Ｒ））を重水素減少水（ＤＤＷＡＴＥＲ（Ｒ））を飲用水として使用して競走馬を育成する方法を開発し、競走馬のレースでの勝利の可能性を高めること、怪我を予防することを可能にする。【選択図】なし【特許請求の範囲】
【請求項１】
水と、０ｐｐｍから８０ｐｐｍの含有量の重水素を有し、又は、活性剤として、０ｐｐｍから８０ｐｐｍの含有量の重水素を含み、担体又は助剤と共に、製薬学的な製品或いは医薬溶液の形での、ヒトに適する水性溶液である、重水素減少水（ＤＤＷＡＴＥＲ（Ｒ））を飲用水として使用して競走馬を育成する。
【請求項２】
重水素濃度が０ｐｐｍから８０ｐｐｍの重水素減少水（ＤＤＷＡＴＥＲ（Ｒ））を飲用水として使用して育成された競走馬は筋力が強化される。
【発明の詳細な説明】
【技術分野】
【０００１】  本発明は、重水素減少水（ＤＤＷＡＴＥＲ（Ｒ））を飲用水として使用して競走馬を育成することである。
【背景技術】
【０００２】  従来、競走馬は牧場、厩舎で通常の水を飲用水として使用して、放牧、調教を行うことにより育成されている。
【発明の開示】
【発明が解決しようとする課題】
【０００３】  しかしながら現実において、競走馬はレースに勝つことが最も重要であり調教師の調教以外にも走力を高める方法が必要とされている。
【課題を解決するための手段】
【０００４】  また、馬主にとっては多額の投資を行っているので、レース中、調教中の事故による競走馬の怪我を防ぐ必要性がある。【０００５】  本発明者等は、係る課題を解決するために鋭意研究したところ、重水素減少水（ＤＤＷＡＴＥＲ（Ｒ））を飲用水として使用して競走馬を育成する方法を開発して、本発明を提供するものである。【０００６】  本発明者等は、重水素減少水（ＤＤＷＡＴＥＲ（Ｒ））を飲用水として使用して育成することにより競走馬の体内の重水素濃度と低下さ、それによって競走馬の筋力が増強されることを確認した。【０００７】  育成方法として、重水素濃度は０ｐｐｍから８０ｐｐｍ重水素減少水（ＤＤＷＡＴＥＲ（Ｒ））を競走馬にあたえて競走馬の体内の重水素濃度を低下させる。【０００８】  また、飲用と同時に重水素減少水（ＤＤＷＡＴＥＲ（Ｒ））を競走馬用の生理食塩水に加工して点滴で体内へ注入することによりさらなる効果が得られる。
【発明の効果】
【０００９】  以上説明したように、本発明によれば重水素濃度０ｐｐｍから８０ｐｐｍの重水素減少水（ＤＤＷＡＴＥＲ（Ｒ））を飲用水として使用して育成した競走馬は、通常の水で育成された競走馬に比べ筋力が増強されレースで勝つ可能性が高まる。【００１０】  怪我の予防としては、筋力が増強されることによりレース、調教中に怪我をしにくくなる。【００１１】  また、ドーピングに関しては、重水素減少水（ＤＤＷＡＴＥＲ（Ｒ））は、薬品ではないため問題にはならない。【００１２】  この育成方法は、競走馬以外に軍用犬、警察犬、狩猟犬、闘犬、闘鶏等の筋力を増強する必要がある動物の育成にも応用できる。
【発明を実施するための最良の形態】
【００１３】  本発明は重水素減少水（ＤＤＷＡＴＥＲ（Ｒ））を生まれてから、２歳までの牧場での育成、その後の厩舎における調教師の調教、新馬戦デビュー後と常時飲み続け体内の重水素濃度を低い状態に保つ。【００１４】  また、必要に応じて重水素減少水（ＤＤＷＡＴＥＲ（Ｒ））の生理食塩水を点滴することにより筋力増強を効果的に行うことが可能となる。
(57)【要約】【課題】キムチの風味等を醸し出すことが可能なコロッケ食品を提供する。【解決手段】馬鈴薯等のコロッケの素材中に白菜キムチを混在させたことを特徴とする。【選択図】  図２
2005328818.tif 000002
【特許請求の範囲】
【請求項１】
豚の挽肉および予め、みじん切りされ、炒煮されるタマネギ、人参、ネギ、ニラと、からなる第一原材料と漬物に加工された白菜キムチを細かくカットしたものに、キムチの素、キムチドレッシング、砂糖、食塩を加えてなる第二原材料とを一緒に煮沸し、これに、予め、皮をむいて茹上げし、潰した第三原材料の馬鈴薯を混合し、これを小判形若しくは、その他の形状に整形してコロッケ生地を製出し、次に、このコロッケ生地を小麦粉液に潜らせ、コロッケ生地の表面に粘性をもたせ、この粘性表面にパン粉を塗して衣形成層を形成し、コロッケ食品を製品化すると共に、製品化されたコロッケ食品を密封包装して冷蔵、冷凍保存するか、若しくは、製品化されたコロッケ食品を揚げ油により揚げて食するようにすることを特徴とするコロッケ食品。
【発明の詳細な説明】
【技術分野】
【０００１】  本発明は、コロッケ食品に関するものである。
【背景技術】
【０００２】  揚げ物食材としてのコロッケは、牛や豚の挽肉等を油で炒め、蒸してつぶした馬鈴薯と混ぜて丸め、パン粉をまぶして油で揚げたものである。【０００３】  然し、前記のような揚げ物として調理されたコロッケは、一般に食味がマンネリ化した嫌いがある。そのため、最近のように多様化した消費者のニーズに対応できるようなコロッケの開発工夫が要求される。
【発明の開示】
【発明が解決しようとする課題】
【０００４】  本発明は、斯点に着目して開発されたコロッケ食品に関するもので、詳しくは本発明は、密封包装することにより冷蔵、冷凍が可能であり、油揚げして食した場合、コロッケ材料中に白菜キムチが混在しているため、キムチの風味、旨味等を醸し出し、消費者に新味覚、新嗜好感覚のコロッケ食品を提供することができる。
また、前記白菜キムチの辛味成分は食する者の血行促進を促すため、生活習慣病予防に有効と考えられる。
【発明の効果】
【０００５】  本発明にあっては、コロッケの生地中に白菜キムチが混在するため、段落番号【０００４】に記載の諸効果を奏する。
【発明を実施するための最良の形態】
【０００６】  本発明の製法を図１、図２、図３にもとずき説明する。
【実施例】
【０００７】  本発明に係るコロッケ食品１製造にあたっては、第一原材料２、第二原材料３、第三原材料４が用いられる。【０００８】  第一原材料２は、豚の挽肉のほかに、みじん切りされ炒煮されるタマネギ、人参、ネギ、ニラを用いる。【０００９】  第二原材料３とは、漬物に加工された白菜キムチを細かくカットしたものに、キムチの素、キムチドレッシング、砂糖、食塩を加えたものである。【００１０】  第三原材料４は、馬鈴薯を指し、この馬鈴薯は、予め、皮をむき、茹上げし、潰したものである。【００１１】  そして、第一原材料２（豚の挽肉、タマネギ、人参、ネギ、ニラ）と、第二原材料３（白菜キムチ）は一緒に煮沸５され、これに第三原材料４（馬鈴薯）を混合６し、これを小判形若しくは、その他の形状になるように整形７してコロッケ生地を製出する。【００１２】  更に、前記コロッケ生地を小麦粉液に潜らせ（図面符号８）、コロッケ生地の表面に粘性をもたせる。【００１３】  更に、前記粘性表面にパン粉を塗して（図面符号９）、衣形成層１０を形成し、製品としてのコロッケ食品１を得るようにする。【００１４】  製品化されたコロッケ食品１は、密封包装して冷蔵、冷凍保存１１するか、若しくは、製品化されたコロッケ食品１を直接、揚げ油で揚げ１２して食することが可能になる。
なお、前記各原材料の混合量は適宜設定すればよい。
【図面の簡単な説明】
【００１５】
【図１】  本発明に係るコロッケ食品の製造フローチャート
【図２】  コロッケ食品の外観図
【図３】  図２のＡ−Ａ線断面図
【符号の説明】
１    コロッケ食品
２    第一原材料
３    第二原材料
４    第三原材料
１０    衣形成層
【図１】
2005328818.tif 000003
【図２】
2005328818.tif 000004
【図３】
2005328818.tif 000005
(57)【要約】【課題】  従来、農作物の生産、水中生物の養殖は水を使用して行われているが、農作物、養殖魚等には無農薬生産、ブランド、新鮮さ、などしか違いがなく、数値的な違いを持たす方法が必要とされていた。【解決手段】本発明は、重水素減少水（ＤＤＷＡＴＥＲ（Ｒ））を使用して農作物の生産、水中生物の養殖をする方法を開発して、それを飲食することにより人間の健康維持、病気の治療に効果があることを特徴とすることが可能になる。【選択図】なし【特許請求の範囲】
【請求項１】
水と、０ｐｐｍから８０ｐｐｍの含有量の重水素を有し、又は、活性剤として、０ｐｐｍから８０ｐｐｍの含有量の重水素を含み、担体又は助剤と共に、製薬学的な製品或いは医薬溶液の形での、ヒトに適する水性溶液である、重水素減少水（ＤＤＷＡＴＥＲ（Ｒ））を使用して植物の水耕栽培と水中動物の育成をする。
【請求項２】
重水素濃度が０ｐｐｍから８０ｐｐｍの重水素減少水（ＤＤＷＡＴＥＲ（Ｒ））を使用して水耕栽培された植物と育成された水中動物を飲食することにより膵臓の病気を治療する。
【発明の詳細な説明】
【技術分野】
【０００１】  本発明は、重水素減少水（ＤＤＷＡＴＥＲ（Ｒ））を使用して食用の植物、水中生物の育成をすることである。
【背景技術】
【０００２】  従来、農作物の生産、水中生物の養殖は水を使用して行われている。
【発明の開示】
【発明が解決しようとする課題】
【０００３】  しかしながら現実において、農作物、養殖魚等には無農薬生産、ブランド、新鮮さ、などしか違いがなく、数値的な違いを持たす方法が必要とされている。
【課題を解決するための手段】
【０００４】  本発明者等は、係る課題を解決するために鋭意研究したところ、重水素減少水（ＤＤＷＡＴＥＲ（Ｒ））を使用して農作物の生産、水中生物の養殖をする方法を開発して、本発明を提供するものである。【０００５】  本発明者等は、重水素減少水（ＤＤＷＡＴＥＲ（Ｒ））だけで植物、水中生物の育成を行うことにより含まれる水分の重水素濃度が通常の植物、水中生物よりも脂肪、澱粉、タンパク質に含まれる水の重水素濃度が低いものとなることを確認した。【０００６】  育成方法として、農作物の場合は水耕栽培で行い外気を遮断した屋内で育成を行い、水の重水素濃度は０ｐｐｍから８０ｐｐｍに保つ。【０００７】  したがって屋内で育成でき、水耕栽培の適した農作物の生産を行うことになる。【０００８】  また、水中生物の養殖は、水槽の水の重水素濃度を０ｐｐｍから８０ｐｐｍに保ち外気を遮断した屋内で行う。
【発明の効果】
【０００９】  以上説明したように、本発明によれば重水素濃度０ｐｐｍから８０ｐｐｍの重水素減少水（ＤＤＷＡＴＥＲ（Ｒ））を使用して農作物の生産、水中生物の養殖をすることにより、重水素濃度が低い水を細胞に含んでいる農作物、養殖魚等が生産でき、それを飲食することにより人間の健康維持、病気の治療に効果がある。【００１０】  病気の治療としては、膵臓の病気には重水素濃度の低い水が含まれた脂肪が送り込まれる必要性があり、この製造方法で作った養殖魚等を飲食することにより重水素濃度が低い水を含んだ脂肪を膵臟に送り込むことにより病気治療が可能となる。【００１１】  また、重水素濃度の低い水を含んだ澱粉、タンパク質なども接種することにより体内の組織が重水濃度を低下させ健康維持に効果がある。
【発明を実施するための最良の形態】
【００１２】  本発明は重水素減少水（ＤＤＷＡＴＥＲ（Ｒ））を水耕栽培の水として使用するため、空気中の水分との混合による重水素濃度の上昇を極力避ける必要があるため、空調管理が行き届いた室内でおこなう。【００１３】  また、水中動物の養殖は淡水、塩水でも実施できるが水槽の水の重水素濃度を０ｐｐｍから８０ｐｐｍに保つ必要があるための空気中の水分との混合による重水素濃度の上昇を極力避ける必要があるため、空調管理が行き届いた室内でおこなう。【００１４】  その場合、室内であるため水槽の大きさも限られるため、スッポン、アジ、などの小型の生物が適している。
(57)【要約】      （修正有）【課題】身体を屈曲させての作業を改めることで時間を少なくして能率を高め重労働から誰でも出来る軽作業とする。栗の実、ゴルフボール、テニスボールの拾集機を提供する。【解決手段】丸いエンビパイプの下部にスリットを数本入れ、残った部分は物にキズを付けないように先を丸くして下部に脱落防止プラスチックを取り付け、手に持つ取っ手６は身長に合わせて調節出来る様に本体１に穴をあけて取っ手６が上下し調節が出来る様にする。本機を使用することでパイプにいっぱいまで拾うことが出来、取っ手６の調節で腰を曲げることなく、上から押さえて拾うことが出来る。【選択図】図１
2005328819.tif 000002
【特許請求の範囲】
【請求項１】
イ、  エンビ、ビニールパイプにスリットを入れる。スリットの終わりは円状にしてとめる
ロ、  スリットを数本入れた下部は楕円形か丸型にする
ハ、  エンビ、ビニールパイプの上部は用途により蓋を設ける
ニ、  スリットを入れた下部には取入口兼逆戻り防止装置を取り付ける
ホ、  スリットを入れる目的は円状のパイプにスリットを入れてパイプがスリットより内側に歪む習性をバネ代わりに利用するものである
ヘ、  請求項は具備したパイプに片手で握る取っ手を付ける
ト、  取っ手は高さが調節出来るものとする
【発明の詳細な説明】
【技術分野】
【０００１】本考察はエンビ、ビニールパイプの下にスリットを入れパイプの歪みを利用し下部に取入口兼逆戻り防止装置を取り付け、上部には身長に合わせて調節出来る取っ手を取り付けて作業者が腰を屈めることなく連続で栗の実、ゴルフボール、テニスボールを拾集するものである。
【背景技術】
【０００２】従来栗の実は農夫が腰を屈めて畑の中を火箸、竹箸、素手で拾い集めていたのが一般的な方法で、一個一個拾う事が当り前であった。ゴルフボール、テニスボールも同様である。
【発明の開示】
【発明が解決しようとする課題】
【０００３】この身体を屈曲させての作業を改めることで時間を少なくして能率を高め重労働から誰でも出来る軽作業とするものである。
【問題を解決するための手段】
【０００４】本考案は丸いエンビ、ビニールパイプの下部にスリットを数本入れて残った内側下部に半球の脱落防止のプラスチックを取り付けて一度拾い上げたものを落とさない様にしました。一個一個拾うことからパイプの歪みを利用し脱落を防止して上部のパイプに拾い溜めることとした。
【考案の効果】
【０００５】上述の様に本機を利用することにより一度に数多く拾う事が出来る能率は火箸、竹箸、手拾いの数倍となり、取っ手の調節で腰を曲げることもなく手の握力のみで拾うのではなく上から押さえて拾う為、腰痛、肩こりの解消となり重労働から誰でも出来る軽作業となる。
【考案を実施する為の最良の形態】
【０００６】本機はエンビ、ビニールパイプにスリットを入れ歪みを作り、その歪みにより拾集するものなので複雑な部品もなく脱落防止のみである、身長に合わせて取っ手の調節をし、拾集する栗の実、ゴルフボール、テニスボールを真上より軽く押さえるだけの作業で簡単に拾うことが出来る。
【実施例】
【０００７】以下、添付図面に従って一実施例を説明する
１、  パイプはエンビ、ビニール等適宜適材にて一体化形成された拾集機本体
２、  下部のスリット残のパイプに３脱落防止の半球のプラスチックを付けたことで脱落せず数多く拾うことが出来る
３、  半球のプラスチックは丸く滑らかな為、拾うものにキズを付けることなく拾集する
４、  スリット残の部の下部は３半球のプラスチックと一体にして先を丸めることで押さえやすくなり容易に拾集する
５、  １本体５に穴を開けてボルトナットで留めることで本人の身体に合わせることが出来る
６、  取っ手の握りはアルミ等の軽量の素材として軽量化する
７、  スリット上部の丸みは拾集時の衝撃を少なくして歪みの緩衝をはかり、４収縮性がよくなり拾集が容易になる。
【図面の簡単な説明】
【０００８】
【図１】  本考案の栗の実、ゴルフボール、テニスボール拾集機側面図である
【図２】  本拾集機の一部切欠断面図である
【図３】  本拾集機の上部断面図である
【図４】  本拾集機の下部断面図である
【符号の説明】
【０００９】拾集機
１、  本体
２、  下部のスリット部分
３、  脱落防止プラスチック
４、  下部拾集ツメ
５、  高さ調節用ボルトナット
６、  取っ手
【図１】
2005328819.tif 000003
【図２】
2005328819.tif 000004
【図３】
2005328819.tif 000005
【図４】
2005328819.tif 000006
(57)【要約】【課題】２匹の犬を散歩させる時リードが絡まず、且つ犬の引っ張る力を軽減させ、片手でリードを操る事が出来、楽に散歩できるようにする。【解決手段】リードロープ２の両端にフック１と、中間に自在回転付滑車４と取っ手５を取り付け、且つ、リードロープ２の左右２箇所にストッパー３を取り付ける事により、左右のリードが絡まず、力の分散で手に掛かる負担を軽くする。【選択図】図１
2005328814.tif 000002
【特許請求の範囲】
【請求項１】
１本のロープの両端にフックと、その中間に自在回転滑車及び取っ手を装着し、滑車の移動を制限するためロープの左右２箇所にストッパーを取り付ける事により、左右のリードが絡まず、人と２匹の犬に掛かる負担を軽減させたリード。
【発明の詳細な説明】
【発明の詳細な説明】
【技術分野】
【０００１】２匹の犬を散歩させる時、２本のリードを片手で持つと、２本のリードが絡み、且つ２本のロープの取っ手が手を締め付けるのを解決するため、ロープに自在回転滑車及び取っ手を付ける事により、滑車と取っ手部分の回転で左右のリードの絡まず、又犬の不規則な動きに応じて、取っ手が滑車の作動でロープの左右のストッパーの間（遊び）を移動し、手に掛かる負担を軽減させたものである。
【背景技術】
【０００２】従来は自由回転滑車を利用したリードはなかった。
【発明が解決しようとする課題】
【０００３】２本のリードを片手で持つと、犬同士が前後左右に動き回り、リードが絡み、且つ手を締め付けるので、本発明は、この課題を解消するためなされたものである。
【課題を解決するための手段】
【０００４】リードロープ２の両端にフック１を取り付け、中間に自在回転付滑車４と取っ手５を取り付ける事により、左右のリードの絡みをなくし、滑車の移動を制限するためリードロープ２の左右２箇所にストッパー３を取り付ける事により、滑車が犬の動きに応じて左右のストッパー間（遊び）を移動し、手に掛かる負担を軽くした。
【発明を実施するための最良の形態】
【０００５】以下、本発明の実施の形態について説明する。
（イ）リードロープ２に自在回転滑車４と取っ手５を取り付け、滑車の移動を制限するストッパー３を取り付ける。
（ロ）リードロープ２の両端に自在フック１を取り付ける。
【発明の効果】
【０００６】２匹の犬が自由気ままな動きをしても、片手で取っ手５を軽く握っているだけで左右のリードロープ２が絡まず、又、人と２匹の犬の歩調が合わなくても、自在回転付滑車４がストッパー３の間（遊び）だけ移動し、人と２匹の犬に掛かる負担が軽減し、雨天の時傘を差しての散歩も楽になる。
【図面の簡単な説明】
【図１】本発明のの構造図である。
【符号の説明】
１  フック
２  リードロープ
３  ストッパー
４  自在回転付滑車
５  取っ手
【図１】
2005328814.tif 000003
(57)【要約】【課題】  従来、血管に医療剤を注入するためのカテーテルに左用と右用の２本を使用している場合に、これを１本で兼用できるように改良する。【解決手段】  弾性材からなる均一径のカテーテル本体の一端部分を、一の検査対象の血管走行に合うような形状の成形部に、カテーテル本体の他端部分を他の検査対象の血管走行に合うような形状の成形部にそれぞれ形成し、  上記両成形部における各カテーテル端部のいずれか一方に選択的に着脱可能のハブを備えた、血管への医療剤注入用リバーシブルカテーテル。【選択図】        図１
2005328887.tif 000002
【特許請求の範囲】
【請求項１】
弾性材からなる均一径のカテーテル本体の一端部分を、一の検査対象の血管走行に合うような形状の成形部に、カテーテル本体の他端部分を他の検査対象の血管走行に合うような形状の成形部にそれぞれ形成し、
上記両成形部における各カテーテル端部のいずれか一方に選択的に着脱可能のハブを備えた、
血管への医療剤注入用リバーシブルカテーテル。
【発明の詳細な説明】
【技術分野】
【０００１】
本発明は、心臓血管、腹部血管、頭部血管等への造影剤、医療品等の医療剤を注入するためのカテーテルに関する。
【背景技術】
【０００２】
従来、例えば心臓の冠動脈への造影剤注入用カテーテルには、弾性材からなる左冠動脈用と右冠動脈用とがあり、前者はカテーテル本体（ａ）の先端部分を図３（イ）のように、後者はカテーテル本体（ａ）の先端部分を同図（ロ）のようにそれぞれ検査対象の血管走行に合うような形状の成形部（ｂ）、（ｂ’）に形成すると共に、各カテーテル基端に、注射器、延長チューブ等を接続するためのハブ（ｃ）、（ｃ）をそれぞれ固定してあり、そして左、右冠動脈のＸ線撮影を行う場合は、同図（イ）の左冠動脈用カテーテルを血管内に挿入し、ハブ（ｃ）から造影剤を注入して所期のＸ線撮影を行い、次に同図（ロ）の右冠動脈用カテーテルを血管内に挿入し、ハブ（ｃ）から造影剤を注入して同様に撮影を行うのである。
【０００３】
しかし、これらカテーテルは、かなり高価なものであり、しかも両カテーテルは先端部分の成形部（ｂ）、（ｂ’）のみが相違するだけのものであるから、何らかの改良を加えることにより価格の低減を図ることが要請されていた。
【発明の開示】
【発明が解決しようとする課題】
【０００４】
本発明は、従来の要請に応え、価格の低減を図ることを課題とする。
【課題を解決するための手段】
【０００５】
上記課題解決の手段として、本発明は、
弾性材からなる均一径のカテーテル本体の一端部分を、一の検査対象の血管走行に合うような形状の成形部に、カテーテル本体の他端部分を他の検査対象の血管走行に合うような形状の成形部にそれぞれ形成し、
上記両成形部における各カテーテル端部のいずれか一方に選択的に着脱可能のハブを備えた、
血管への医療剤注入用リバーシブルカテーテルを提案する。
【発明の効果】
【０００６】
本発明の血管への医療剤注入用リバーシブルカテーテルによれば、ハブを両成形部のいずれかのカテーテル端部につけ替えることにより、１本のカテーテルにより２種の検査対象血管に挿入使用することができ、それにより価格の低減を実現できるのである。
【発明を実施するための最良の形態】
【０００７】
本発明における上記「カテーテル本体」は、ポリアミド系、ポリウレタン系、ポリエチレン系等の弾性合成樹脂でつくられ、カテーテル端部に取りつけられたハブを該カテーテル端部から離脱したとき、その部分の成形部が元の形状に弾性復元できるものであることが望ましい。
以下本発明の実施例について図面を参照して説明する。
【実施例】
【０００８】
図１は、心臓の左、右冠動脈への造影剤注入用リバーシブルカテーテルの例で、ポリアミド樹脂弾性材からなる長い均一径のカテーテル本体（１）の一端部分を、左冠動脈の血管走行に合うような形状の左冠動脈用成形部（２）に成形し、他端部分を、右冠動脈の血管走行に合うような形状の右冠動脈用成形部（３）に成形してあり、その成形部（３）におけるカテーテル本体（１）端部に、着脱自在のハブ（４）を取りつけてある。
【０００９】
上記着脱自在ハブ（４）は、後端部外周面にオネジ（６）を有する円筒状ケース（５）と、先端部内周面に上記オネジ（６）と螺合すべきメネジ（８）を有するキャップ（７）とからなり、上記ケース（５）は先端面に上記カテーテル本体（１）が挿脱可能の挿入口（５’）を開設すると共に、内部には、上記挿入口（８）より大径のシール材収納筒（９）を有し、この収納筒（９）内に、上記カテーテル本体（１）が挿脱自在の通孔（１１）を有する柔軟ゴム等の円筒状弾性シール材（１０）を挿入してあり、一方上記キャップ（７）内に、上記カテーテル本体（１）が挿脱自在の通孔（１３）を有し且つ収納筒（９）内に摺動自在の外径を有する押し筒（１２）を突設すると共に、該キャップ（７）後端面に、上記押し筒（１２）の通孔（１３）と連通する差しこみ孔（１５）を有する接続筒（１４）を突設してある。
【００１０】
図１では、右冠動脈用成形部（３）のカテーテル本体（１）先端部を、図２に示すようにケース（５）の挿入口（５’）から弾性シール材（１０）の通孔（１１）内後端まで挿入し、その状態でキャップ（７）を回してメネジ（８）をケース（５）のオネジ（６）に螺進させ、それにより押し筒（１２）の先端面により弾性シール材（１０）を縦方向へ圧縮する。この圧縮により弾性シール材（１０）が横方向に膨脹し、それによりカテーテル本体（１）先端部を圧着把持することとなる。
【００１１】
使用においては、ガイドワイヤを大腿動脈から心臓の左冠動脈まで挿入し、このガイドワイヤを案内として、本発明リバーシブルカテーテルの左冠動脈用成形部（２）を直線状に弾性変形させつつ所定位置まで挿入する。
【００１２】
ついで、ガイドワイヤを引き抜き、それにより成形部（２）を元の形状に弾性復元させて所定位置に係止させ、その状態で、ハブ（４）の差しこみ口（１５）に、造影剤を入れた注射器（Ｐ）を接続し、造影剤をカテーテル本体（１）を経て左冠動脈に注入する。Ｘ線撮影後、リバーシブルカテーテルを血管から引き抜く。
【００１３】
ハブ（４）をキャップ（７）の逆回しによりカテーテル本体（１）端部から取り外し、ついで左冠動脈用成形部（２）のカテーテル本体（１）端部につけ替え、その状態でガイドワイヤを右冠動脈まで挿入し、これを案内としてリバーシブルカテーテルの右冠動脈用成形部（３）を上記と同様に所定位置まで挿入し、ガイドワイヤを引き抜いた後上記と同様に造影剤を注入し、Ｘ線撮影を行う。
【図面の簡単な説明】
【００１４】
【図１】本発明による心臓血管造影剤注入用リバーシブルカテーテルの一部省略平面図である。
【図２】着脱自在ハブの拡大縦断面図である。
【図３】（イ）従来の左冠動脈造影剤注入用カテーテルの平面図である。（ロ）従来の右冠動脈造影剤注入用カテーテルの平面図である。
【符号の説明】
【００１５】
１  カテーテル本体
２  左冠動脈用成形部
３  右冠動脈用成形部
４  着脱自在ハブ
【図１】
2005328887.tif 000003
【図２】
2005328887.tif 000004
【図３】
2005328887.tif 000005
(57)【要約】【課題】間伐材、剪定枝葉、草類等の植物廃材を植生盤として再利用する。【解決手段】植生盤１は、伐採木、剪定枝葉、草類等の植物廃材のチップと赤玉土などの粘性土及び酢酸ビニルエマルジョンからなるバインダーを混合し、この混合物を型枠に充填し、プレス成形して植生盤１を得る。植生盤１には、苗３を植え付けるための穴２を適宜の大きさで設ける。この植生盤１に種子または苗を植え付けて斜面等に敷き並べて地盤面を緑化する。【選択図】図２
2005328741.tif 000002
【特許請求の範囲】
【請求項１】
木材チップと粒度５〜１５ｍｍ及び１５〜３０ｍｍの粘性土の混合物と水性バインダーを混練りして所定の形状にプレスした植生盤。
【請求項２】
請求項１において、土壌に木材チップを分解する微生物を添加してある植生盤。
【請求項３】
請求項１または２のいずれかにおいて、植物の植込み穴が形成してある植生盤。
【請求項４】
請求項１〜３のいずれかにおいて、木材チップは、間伐材、伐採木、剪定枝葉のいずれか、または、それらの混合物を粉砕したものである植生盤。
【発明の詳細な説明】
【技術分野】
【０００１】
本発明は、間伐材等の伐採木、樹皮、剪定枝葉等の植物の廃材を利用した木材チップを主原料とする植生盤に関する。
【背景技術】
【０００２】
間伐材は構造材としては利用することができず、また、公園等の植栽の刈り込みや剪定によって生ずる多くの木質系の廃棄物が排出されているが、有効利用されることなく焼却処理されるのが殆どである。
【０００３】
【特許文献１】特開２００４−０６０２７６号公報
【特許文献２】特開２００３−３２１８４０号公報
【特許文献３】特開２００３−０８２６７３号公報
【発明の開示】
【発明が解決しようとする課題】
【０００４】
本発明は、このような状況に着目してなされたもので、間伐材、または、樹皮、剪定枝葉等の植物廃棄物を利用して植生盤を製造することによって植物廃棄物を有効利用して植生盤を製造して緑化に利用するものである。
【課題を解決するための手段】
【０００５】
間伐材、樹皮、剪定枝葉の廃材のチップ、もしくは切り粉と粘土及び水溶性バインダーを混合して型枠に充填し、プレスして植生盤を成形するものである。
植物の廃材としては、例えば間伐材等の伐採木、剪定枝葉、樹皮である。また、街路樹や公園等の施設の植栽から発生する剪定木を使用することができる。
【０００６】
これらの植物廃材を木材破砕機を使用してチップにする。チップの大きさは、長さ２５ｍｍ未満、巾２〜１５ｍｍ、厚さ０．５〜５ｍｍにすることが好ましく、より好ましいのは、長さ５〜１５ｍｍ、巾２〜１０ｍｍ、厚さ０．５〜２ｍｍである。
【０００７】
植物廃材のチップと混合する粘性土は、屋根瓦の下地材に使用される粘土、鹿沼土の下層盤から算出される土（通称赤玉土）が好ましく、その粒度は、５〜１０ｍｍのものと１０〜２０ｍｍを１対１で混合したものが好ましい。水性のバインダーは、人体や植物に悪影響を与えない、例えば、酢酸ビニルエマルジョン等であり、これをバインダーとして加えて混練りし、粘性土中にチップを均一に分散させる。
【０００８】
植物廃材のチップと水性バインダーとの混合割合は、バインダーが硬化した後の成形品が、適度の弾性と保形性を有すると共にカッターで容易に切断できる硬さとなるように添加量を決める。
酢酸ビニルエマルジョンを使用する場合には、チップ５００ｇ、粘性土２ｋｇ、に対してバインダー３００ｇを加えてミキサー等で混合して均一な状態としたものを種々の形状の型枠に充填し、プレス成形して板状の木材チップを含む植生盤を得る。
この植生盤を、法面に敷き並べて緑化に利用するものである。必要に応じて植栽用の穴を複数設けることがある。
【発明を実施するための最良の形態】
【０００９】
実施例１
間伐材のチップ５００ｇと鹿沼土（赤玉土）１．５ｋｇ及びポリビニルアルコールからなるバインダー３５０ｇをミキサーで混合し均一状態になるまで混練りした。この混合物を５０×３０ｃｍ、深さ１０ｃｍの四角形の型枠に充填し、プレスして成形して植生盤とした。
【００１０】
植生盤に植込み穴２を形成する場合は、型枠の適宜の位置に直径５〜１０ｃｍの円筒体を型枠内部に固定してチップ混合物を充填してプレス成形する。円筒体部分には混合物が充填されず空洞となるので、この空洞に土付きの苗を差し込んで固定できるようにしたものである。必要に応じてチップを分解することができる微生物を含む土壌を加えておくことにより、自然に分解される速度が速くなる。
【００１１】
図２に示すように、法面に木材チップを含む植生盤１を縦横に敷き詰めて並べてゆき、必要に応じてアンカーを植生盤１を貫通して斜面に打ち込み、植生盤を斜面に固定する。
【００１２】
植生盤は木材チップ、粘性土、及びバインダーの混合物をプレス成形したものであるので、適度の透水性、保水性、通気性等を備えており、植込んだ植物種子や苗３による草木の生育が促進され、植生盤を敷き詰めた地盤の緑化をすることができる。
【００１３】
実施例２
図３に示すように、実施例１で製造した木材チップと粘性土及び水性バインダーの混合物を底のない円筒形や四角形にプレス成形したものであり、中央部が空洞４とした植生盤１である。植生盤を設置する場所に応じて大きさを適宜決定するものであり、一例をあげると、内径２０ｃｍ、肉厚２．５ｃｍ、高さ６ｃｍの円筒形である。この、植生盤１を斜面等に押しつけて固定し、内部の空洞４に植物の種子を含む土壌を充填して土壌の雨水による流出を防止しながら地盤を緑化するものである。また、肥料を混合した土壌を空洞４に充填して植物の苗を植え付けてもよい。
【産業上の利用可能性】
【００１４】
廃棄物として焼却処分するしかなかった間伐材等の伐採木、剪定枝葉、草類等の植物廃材を有効利用することができると共に、地盤の緑化を達成することができる。
植生盤は植物と土壌からなるものであり、自然のものだけを使用しており、植え付けた植物が生長した後は自然に戻るものであり、環境問題が生ずることもない。
【図面の簡単な説明】
【００１５】
【図１】植生盤の実施例の斜視図。
【図２】植生盤の利用状態を示す斜視図。
【図３】植生盤の他の実施例の斜視図。
【符号の説明】
【００１６】
１    植生盤
２    植込み穴
３    苗
【図１】
2005328741.tif 000003
【図２】
2005328741.tif 000004
【図３】
2005328741.tif 000005
(57)【要約】【課題】  菓子にクワの葉を加えて摂取カロリーを低減させる効果を得ると共に、クワの葉の食感の改善のみならず、軟らかな菓子を得ることにある。【解決手段】  乾燥したクワの葉を粉砕して、寒天、砂糖と共にあんに加えて菓子を製造する。【選択図】        図１
2005328799.tif 000002
【特許請求の範囲】
【請求項１】
乾燥したクワの葉を粉砕して、寒天、砂糖と共にあんの材料に加えて製造して成る菓子。
【請求項２】
寒天を水につけてもどし、その後に加熱した寒天に砂糖を加え、それから生あん等を加え、十分に練り上げて、型に入れて製造する菓子の製造方法において、
クワの葉を加圧した加熱蒸気にて滅菌し、乾燥した後に粉砕し、その粉砕のクワの葉を前記寒天に砂糖を加える工程の前後に加えて製造したことを特徴とする菓子の製造方法。
【請求項３】
商品としての菓子に対し重量比でおおよそ０．１〜４０％程の粉砕のクワの葉を加えたことを特徴とする請求項２記載の菓子の製造方法。
【発明の詳細な説明】
【技術分野】
【０００１】
この発明は、糖分の吸収を抑えた菓子及びその製造方法に関する。
【背景技術】
【０００２】
和菓子の代表である羊かんは、小豆、砂糖及び寒天を主原料として製造されており、糖分が高く昨今の健康志向にあわず、販売に苦戦をしいられていた。そこで、カロリーを低減した甘味料を用いて羊かんが製造されていたが、このカロリーを低減した甘味料で作られる羊かんは、砂糖の甘味と異なり、違和感を与えてしまい、美味しさに欠ける欠点を有していた。
【０００３】
そこで、甘味に対するこだわりから、砂糖に代える甘味料の使用を止め、砂糖等の自然な甘味を用いるが、摂取カロリーを低減することができれば、健康志向に合致する。即ち、砂糖、澱粉を吸収するに必要な糖分解酵素の働きを阻害する添加物が得られれば問題は解決されるものである。糖分解酵素であるαーグルコシダーゼの働きを阻害するものとして、クワの葉に含まれる[２Ｒ−（２α，３β，４α，５β）]−２−（Ｈｙｄｒｏｘｙｍｅｔｈｙｌ）−３，４，５−ｐｉｐｅｒｉｄｉｎｅｔｒｉｏｌ；等があり、この成分を添加することで解決される。クワの葉のエキスが血糖値上昇作用を抑えることは、例えば特許文献１に記述されている。
【特許文献１】特開２００１−３３３７２８
【発明の開示】
【発明が解決しようとする課題】
【０００４】
羊かん製造時では、クワの葉を切断して加えることになる。クワの葉の食感がザラザラ感として残ることから、そのままクワの葉を加えることができない。また、老齢となると、咀しゃくに問題が発生し、現在の羊かんよりも軟らかなものが望まれている。
【０００５】
そこで、この発明は、自然な甘味を損なうことなく摂取カロリーを低減できるクワの葉を加えるが、そのクワの葉の欠点であるざらざらとした食感を改善することと、及び咀しゃくに問題のある人も安心して、食することを可能とする菓子を提供することにある。
【課題を解決するための手段】
【０００６】
この発明に係る菓子は、乾燥したクワの葉を粉砕して、寒天、砂糖と共にあん材料に加えて製造して成る菓子にあり（請求項１）、また、菓子の製造方法は、寒天を水につけてもどし、その後に加熱した寒天に砂糖を加え、それから生あん等を加え、十分に練り上げて、型に入れて製造する菓子の製造方法において、クワの葉を加圧した加熱蒸気にて滅菌し、乾燥した後に粉砕し、その粉砕のクワの葉を前記寒天に砂糖を加える工程の前後に加えて製造したことにある（請求項２）。商品としての菓子に対し重量比で０．１〜４０％程の粉砕のクワの葉を加えたことにある（請求項３）。
【発明の効果】
【０００７】
この発明によれば、乾燥したクワの葉の成分の[２Ｒ−（２α，３β，４α，５β）]−２−（Ｈｙｄｒｏｘｙｍｅｔｈｙｌ）−３，４，５−ｐｉｐｅｒｉｄｉｎｅｔｒｉｏｌ；等が菓子に入り、甘味料として砂糖の分解酵素であるαーグルコシダーゼの働きを抑えて、砂糖の吸収を減少させる。したがって、糖尿病又は糖尿病予備軍の方にも量を守れば美味しい菓子を食べることが出来る。またクワの葉が粉砕されることから、食感のザラザラ感がなくなり、大変に食べやすい羊かんを提供できる。
【０００８】
さらに、寒天がクワの葉の成分を結合して今までよりも軟らかな菓子例えば羊かんを提供でき、咀しゃくに問題の人にでも安心して食することが出来る。
【発明を実施するための最良の形態】
【０００９】
以下、この発明の実施例を図面にもとづいて説明する。
【実施例１】
【００１０】
図１において、菓子の代表である小豆を用いる羊かんの製造行程が示されている。まず、小豆を煮る行程１、その後、生あんを作る行程２と進み、同時に寒天を水につけてもどす行程１０、さらに寒天を加熱し、砂糖を加える行程１１と進み、またクワの葉を加圧しながら加熱蒸気により滅菌する行程２０、そして、そのクワの葉を乾燥する行程２１、乾燥のクワの葉を石臼等で粉砕する行程２２と進み、この粉砕のクワの葉を寒天に加える行程１２に進む。
【００１１】
それから、生あんにクワの葉入りの寒天中に生あんを入れる行程３に進み、そして十分に練り上げる行程４に進み、練り上げられ、生あんは型に入れられる行程５に進み、適宜な時間が経過すると、型から取り出し、箱詰めされ、販売される行程６に移行する。なお、実施例ではクワの葉を粉砕する行程２２をそのエキス状にする行程としても良く、その場合には、前記行程１２は、エキスを寒天に加える行程となる。また粉砕のクワの葉は菓子に対し重量比で０．１〜４０％程が加えるのが良い。
【００１２】
このように製造される羊かんを健常者（６名）に食べてもらい、食後の血糖上昇のようすをグラフ化し、クワの葉を加えない羊かんを基準食としたグリセミック指数（ＧＩ値）を算出したところ８２％であった。また、食後の血糖上昇の最大値が約５０％抑えられた。ＧＩ値は羊かんの分析ではなく、食べたあとのヒトの体の反応、つまり血中の血糖がどう変化するかに注目した指数であることから、本特許で製造することは吸収されるカロリーを押さえることができ、かつ食後の血糖が上がりにくい羊かんということができる。また、食感は美味で軟らかく（硬度１×１０４Ｎ／ｍ２以下）なり、咀しゃくの不都合な人でも安全にたべることができる。なお、実施例では小豆を用いた羊かんが示されているが、これに限らず、他の豆類、いも、栗等を用いた羊かんも採用できることは勿論である。
【００１３】
寒天入りの菓子としては、代表は、羊かんではあるが、それ以外の最中のあん、ドラ焼きのあんなどにも採用できることは勿論である。
【図面の簡単な説明】
【００１４】
【図１】菓子の代表の羊かんを例にした製造行程を示した図である。
【図１】
2005328799.tif 000003